(57)【要約】 【課題】  ドラムコアの自動供給が可能であって、生産性が良く、小型化に適し、かつ低コストで得られるドラムコアの巻線方法および巻線装置を提供すること。【解決手段】  ガイド部７には溝部８が形成され、また溝部８上部には整列収納部９が隣接しており、整列収納部９内部に整列収容したドラムコア１は、自由落下により溝部８を通り穴口部１４に導入され、また穴口部１４を有するガイド部７は、その穴口部１４からシャフト５を通しドラムコア１を巻治具４に誘導する。さらにドラムコア１の保持手段として、ドラムコア１は巻治具４に形成されたドラムコア用溝（図示されていない）に収納されることにより位置決めされ、コイルバネ６によるバネ反発力を利用して、シャフト５をドラムコア１に押し付ける。巻治具４とシャフト５の間に挟まれたドラムコア１は回転により巻線される。その際、巻治具４とシャフト５は、タイミングベルト１０ａ、１０ｂを介して周期回転を行う。【選択図】  図２
2006253578.tif 000002
【特許請求の範囲】
【請求項１】
回転可能な巻治具に固定したドラムコアに線材を巻線する前記ドラムコアの巻線方法において、整列収納部内に収納されている複数の前記ドラムコアの少なくとも１つを溝部を通してガイド部内の穴口部内へ供給した後に、バネ反発力を利用して移動するシャフトにより前記ガイド部内に供給された前記ドラムコアを付勢し、前記シャフトは前記ガイド部内を前記ドラムコアと一体に移動し、前記巻治具に前記ドラムコアを誘導し、かつ押圧固定した後、前記巻治具の回転により前記ドラムコアに巻線することを特徴とするドラムコアの巻線方法。
【請求項２】
前記シャフトは前記巻治具と同期回転することを特徴とする請求項１に記載のドラムコアの巻線方法。
【請求項３】
回転可能な巻治具に固定したドラムコアに線材を巻線する前記ドラムコアの巻線装置において、整列収納部内に収納されている複数の前記ドラムコアの少なくとも１つを溝部を通してガイド部内の穴口部内へ供給した後に、バネ反発力を利用して移動するシャフトにより前記ガイド部内に供給された前記ドラムコアを付勢し、前記シャフトは前記ガイド部内を前記ドラムコアと一体に移動し、前記巻治具に前記ドラムコアを誘導し、かつ押圧固定した後、前記巻治具の回転により前記ドラムコアに巻線するよう構成したことを特徴とするドラムコアの巻線装置。
【請求項４】
前記シャフトは前記巻治具と同期回転することを特徴とする請求項３に記載のドラムコアの巻線装置。
【請求項５】
前記シャフトを移動させる手段が、コイルバネであることを特徴とする請求項３に記載のドラムコアの巻線装置。
【発明の詳細な説明】
【技術分野】
【０００１】
本発明は、ドラムコアに線材を巻線する方法および巻線装置に関するものである。
【背景技術】
【０００２】
従来、ドラムコアを巻治具に固定する際、ドラムコアの鍔をスピンドルに連結されたチャックに固定し、スピンドルを回転させて巻線を行ってきた。しかしながら、この方法では、巻線中にドラムコアが動いてしまったり、チャック力を強くするとドラムコアを破損してしまう等の問題があった。このような調整方法の一例として、特許文献１に開示されているように、ドラムコアの固定をマグネットの反発力を利用して行うことで、構造の簡略化を図り、センター押さえ部を軽量化して、回転時ドラムコアへのねじれの負荷を低減でき、小さなドラムコアや、機械的強度の弱いドラムコアに対して有効な技術があった。
【０００３】
【特許文献１】特開平９−２２１２７２号公報
【発明の開示】
【発明が解決しようとする課題】
【０００４】
しかしながら、特許文献１に記載されているような、マグネットの反発力を利用したドラムコアの固定方法では、マグネットの押圧が一定なため圧力調整ができず、またマグネット自体の経時変化による磁気力の低減により、ドラムコアを保持する力が、時間の経過とともに弱まってきて巻線中にはずれ易くなり、生産性が悪くなってしまうという問題がある。
【０００５】
そこで、本発明は、上記課題を解決すべくなされたもので、その技術的課題は、生産性が良く、小型化に適し、かつ低コストで得られるドラムコアの巻線方法および巻線装置を提供することである。
【課題を解決するための手段】
【０００６】
本発明は、前記課題の解決のため、回転可能な巻治具に固定したドラムコアに線材を巻線するドラムコアの巻線方法において、整列収納部内に収納されている複数のドラムコアの少なくとも１つを溝部を通してガイド部内の穴口部内へ供給した後に、バネ反発力を利用して移動するシャフトによりガイド部内に供給されたドラムコアを付勢し、シャフトはガイド部内をドラムコアと一体に移動し、巻治具にドラムコアを誘導し、かつ押圧固定した後、巻治具の回転によりドラムコアに巻線することを特徴とするドラムコアの巻線方法である。
【０００７】
また、シャフトは巻治具と同期回転することを特徴とするドラムコアの巻線方法である。
【０００８】
さらに本発明は、回転可能な巻治具に固定したドラムコアに線材を巻線するドラムコアの巻線装置において、整列収納部内に収納されている複数のドラムコアの少なくとも１つを溝部を通してガイド部内の穴口部内へ供給した後に、バネ反発力を利用して移動するシャフトによりガイド部内に供給されたドラムコアを付勢し、シャフトはガイド部内をドラムコアと一体に移動し、巻治具に前記ドラムコアを誘導し、かつ押圧固定した後、巻治具の回転によりドラムコアに巻線するよう構成したことを特徴とするドラムコアの巻線装置である。
【０００９】
また、シャフトは巻治具と同期回転することを特徴とするドラムコアの巻線装置である。
【００１０】
また、シャフトを移動させる手段が、コイルバネであることを特徴とするドラムコアの巻線装置である。
【００１１】
コイルバネを利用して、その反発力によりドラムコアを巻治具に押し付けるので、マグネットを使用する場合に比べ、コイルバネの強さや長さの変化により、圧力調節が可能となる。
【発明の効果】
【００１２】
従って本発明によれば、バネ反発力を利用しドラムコアを押圧固定することにより、生産性が良く、小型化に適し、かつ低コストでのドラムコアの巻線方法及び巻線装置を提供することができる。
【発明を実施するための最良の形態】
【００１３】
次に、本発明によるドラムコアの巻線方法及び巻線装置の実施の形態について、図面に基づいて具体的に説明する。
【００１４】
図１は、本発明の実施の形態に係わるドラムコアを示す斜視図である。図１（ａ）は巻線前を示す図であり、ドラムコア１の内周部には貯線溝２が形成されいる。図１（ｂ）は巻線後を示す図であり、ドラムコア１に線材３が巻回された状態を示している。
【００１５】
図２は、本発明の実施の形態に係わる巻線装置を示す断面図である。ドラムコア１の保持手段として、ドラムコア１は巻治具４に形成されたドラムコア用溝（図示されていない）に収納されることにより位置決めされ、コイルバネ６によるバネ反発力を利用して、シャフト５をドラムコア１に押し付ける。巻治具４とシャフト５の間に挟まれたドラムコア１は回転により巻線される。その際、巻治具４とシャフト５は、タイミングベルト１０ａ、１０ｂを介してモータ１５の回転により周期回転を行う。また穴口部１４を有するガイド部７は、その穴口部１４からシャフト５を通しドラムコア１を巻治具４に誘導付勢し、押圧固定する。さらにガイド部７には溝部８が形成され、また溝部８上部には整列収納部９が隣接しており、整列収納部９内部に整列収容したドラムコア１は、自由落下により溝部８を通り穴口部１４に導入することができる。
【実施例】
【００１６】
次に具体的な実施例を挙げ、本発明のドラムコアの巻線方法および巻線装置について、さらに詳しく説明する。
【００１７】
図３は、本発明の実施例に係わるドラムコアの巻線方法の一連の動作を説明するために示した要部の概略図である。図３（ａ）は初期状態を示す図であり、シャフト５がコイルバネ６により巻治具４に押し付けられている。図３（ｂ）はドラムコアが供給される状態を示す図であり、シャフト５に外力を加えて、シャフト５を巻治具４より離間させると、整列収納部９内のドラムコア１が自由落下により溝部８よりガイド部７へと進入する。図３（ｃ）はドラムコアが巻治具へ誘導される状態を示す図であり、シャフト５に加えた外力を解放すると、ガイド部７に進入したドラムコア１のみがシャフト５により押し出され、巻治具４へと誘導される。図３（ｄ）はドラムコアが巻治具へ当接されている状態を示す図であり、シャフト５により押し出されたドラムコア１は、巻治具４に当接され、その後ノズル１２より線材３が引き出され、巻治具４に隣接する突部１１に線端を絡げ巻線を行う。図３（ｅ）はドラムコアに線材を巻回している状態を示す図であり、ドラムコア１に線材３を所定数巻回する。図３（ｆ）はドラムコアを排出している状態を示す図であり、線材３を巻回したドラムコア１を、突部１１より絡げを解いた上で、外力を加えて巻治具４をガイド部７より離間させることにより、巻線装置より装着が解放される。チャック１３は、断線を防止するために、線材３を把持するものである。
【図面の簡単な説明】
【００１８】
【図１】本発明の実施の形態に係わるドラムコアを示す斜視図。図１（ａ）は巻線前を示す図。図１（ｂ）は巻線後を示す図。
【図２】本発明の実施の形態に係わる巻線装置を示す断面図。
【図３】本発明の実施例に係わるドラムコアの巻線方法の一連の動作を説明するために示した要部の概略図。図３（ａ）は初期状態を示す図。図３（ｂ）はドラムコアが供給される状態を示す図。図３（ｃ）はドラムコアが巻治具へ誘導される状態を示す図。図３（ｄ）はドラムコアが巻治具へ当接されている状態を示す図。図３（ｅ）はドラムコアに線材を巻回している状態を示す図。図３（ｆ）はドラムコアを排出している状態を示す図。
【符号の説明】
【００１９】
１    ドラムコア
２    貯線溝
３    線材
４    巻治具
５    シャフト
６    コイルバネ
７    ガイド部
８    溝部  
９    整列収納部
１０ａ，１０ｂ    タイミングベルト
１１    突部
１２    ノズル
１３    チャック
１４    穴口部
１５    モータ
【図１】
2006253578.tif 000003
【図２】
2006253578.tif 000004
【図３】
2006253578.tif 000005